(57)【特許請求の範囲】
【請求項１】
支持装置であって、コンクリート注入に備えて掘られたフーチング孔の底部の上方で支柱または杭の底部を支持するように適合され、前記支持装置は、上段と、下段と、を備え、
前記下段は、フーチング孔の底部と接触し、支持面を提供するように、適合され、
前記上段は、支柱または杭支持プラットフォームを提供するように適合され、
前記下段と前記上段とは、２つ以上の支持壁で離され、前記支持壁は、少なくとも前記下段と前記上段との間にわたり、前記上段の外周コーナーの下方でほぼ垂直に配向する壁縁を定めるように交差し、前記上段から前記下段に延びる垂直配向支持構造を定めるようになっており、
前記支持壁は、使用時にコンクリートで充填される領域を定め、使用していない時には別の支持装置の入れ子を可能にし、
前記支持装置は、単一成形プラスチック形態である、支持装置。
【請求項２】
請求項１に記載の支持装置であって、前記支持壁は、内部領域を定め、前記内部領域は、前記上段の表面の真下に、前記下段の上方に、および前記支持壁に対して内部に、存在し、前記内部領域は、コンクリートで充填されるするように適合された空間を定める、支持装置。
【請求項３】
請求項１または請求項２に記載の支持装置であって、前記支持壁は、前記支持装置の外部から前記内部領域への１つ以上の開口部を有し、前記１つ以上の開口部は、コンクリートが前記内部領域へ流れるために前記支持装置の外部の周りで注入されることができるように適合されている、支持装置。
【請求項４】
請求項１〜３のいずれか１項に記載の支持装置であって、前記下段は、下面から上面に延びる開口部を備え、前記開口部は、前記上段よりも大きい寸法であり、前記開口部が、複数の支持装置の積み重ねられた配置において前記内部領域への上段の通過を可能にするようになっている、支持装置。
【請求項５】
請求項１〜４のいずれか１項に記載の装置であって、前記１つ以上の支持壁は、前記上段を超えて広がって、前記上段と共に、包囲領域を定める、装置。
【請求項６】
請求項１〜５のいずれか１項に記載の装置であって、包囲領域は、前記上段に存在している支柱または杭の底を実質的に包囲するように適合されている、装置。
【請求項７】
請求項１〜６のいずれか１項に記載の装置であって、包囲領域は、前記支持壁の内面と前記上段の上面との間に形成されている、装置。
【請求項８】
請求項１〜７のいずれか１項に記載の装置であって、前記上段を超えて広がる前記１つ以上の支持壁の一部は、留め具が通ることができるように構成された１つ以上の孔を有する、装置。
【請求項９】
請求項１〜８のいずれか１項に記載の装置であって、前記上段は、内部領域を有し、前記内部領域は、前記１つ以上の支持壁によって定められ、支持される支柱または杭の底と締まりばめを形成するように適合されている、装置。
【請求項１０】
請求項１〜９のいずれか１項に記載の装置であって、前記上段は、四角形状を有する、装置。
【請求項１１】
請求項１〜１０のいずれか１項に記載の装置であって、前記下段は、丸いまたは四角形状を有する、装置。
【請求項１２】
請求項１〜１０のいずれか１項に記載の装置であって、前記下段は、断面で波形である地面接触面を有する、装置。
【請求項１３】
請求項１〜１０のいずれか１項に記載の装置であって、前記下段は、高くなった外周縁を有する、装置。
【請求項１４】
請求項１〜１３のいずれか１項に記載の装置であって、前記下段は、高くなった内周縁を含む開口部を有する、装置。
【請求項１５】
請求項１〜１４のいずれか１項に記載の装置であって、前記下段は、約２３５ｍｍの外側スパンを有する、装置。
【請求項１６】
請求項１〜１２のいずれか１項に記載の装置であって、上段と下段とは、約１００ｍｍの距離で離れている、装置。
【請求項１７】
請求項１〜１５のいずれか１項に記載の装置であって、前記装置は、インサートをさらに備え、前記インサートは、包囲領域に合うように適合された外面と、支持される支柱または杭に合うように適合された内面と、を備えている、装置。
【請求項１８】
請求項１〜１７のいずれか１項に記載の装置であって、前記１つ以上の支持壁は、１つ以上の開口部を有する、装置。
【請求項１９】
請求項１〜１８のいずれか１項に記載の装置であって、前記上段および／または下段は、注入コンクリートが前記支持壁に対して内部の領域に流れることができるようにする働きをする、１つ以上の開口部を有する、装置。
【請求項２０】
請求項１〜１９のいずれか１項に記載の装置であって、前記１つ以上の支持壁は、少なくとも一部分において、格子構造を形成するように重なり合う、装置。
【請求項２１】
コンクリートで固めるように支柱または杭の底部を支持するように適合された支柱支持装置を使用する方法であって、前記支柱支持装置は、上段と、下段と、２つ以上の支持壁と、を備え、
前記下段と前記上段とは、１つ以上の支持壁で離され、
前記下段は、地面接触プラットフォームを提供するように適合され、
前記上段は、支柱または杭接触プラットフォームを提供するように適合され、
前記２つ以上の支持壁は、少なくとも前記下段と前記上段との間にわたるように適合され、前記上段を超えて広がって、前記上段と共に、包囲領域を定め、前記上段の外周コーナーの下方でほぼ垂直に配向する壁縁を定めるように交差し、前記上段から前記下段に延びる垂直配向支持構造を定めるようになっており、
前記支持壁は、使用時にコンクリートで充填される領域を定め、使用していない時には別の支持装置の入れ子を可能にし、
前記支持装置は、単一成形プラスチック形態であり、
前記方法は、任意の順序で、以下のステップ：
・支柱または杭のライン用のストリングラインを配置し、ラインに沿った杭または支柱の特定の位置を測定し、フーチング孔を掘る、
・杭を包囲領域に挿入して、留め具で杭と上段とを接続することによって、前記上段を杭の底に結合する、
・フーチング孔を掘る、
その後、
・支柱または杭を、結合した支柱支持装置と共に、フーチング孔に入れる、
・支柱または杭を所望の位置に置くように支柱支持装置をフーチング孔の中で周りで動かすまたは滑らせる、
・１つ以上のブレース材をそれぞれの支柱または杭の上部に結合する、およびコンクリートをフーチング孔に注入する、
ステップを含む方法。
【発明の詳細な説明】
【技術分野】
【０００１】
本発明は、概して支持装置に、特にコンクリート充填フーチング孔に支柱および杭を配置しやすくする支持装置に、関する。
【背景技術】
【０００２】
いくつかの国（例えばニュージーランド）における建築基準法は、杭または支柱が、コンクリートに埋められるときにそれらの下にコンクリートの１００ｍｍを有することを、求める。これは、それぞれの支柱または杭が、フーチング孔の底の１００ｍｍ上で、コンクリートが注入されている間、コンクリートが固まるまで、垂直に浮かせることを必要とする。
【０００３】
杭または支柱用のフーチング孔は、掘削によってまたは支柱孔穿孔機器によってフーチング孔が掘られる前に、測定されて地面に印が付けられる。建築者がコンクリートフーチングに入れる杭／支柱のラインを有する場合、ラインを配置するのにストリングラインが使用される。
【０００４】
フーチング孔の上で支柱または杭を浮かせる現代の実行は、ある建築者がフーチング孔の底の１００ｍｍ上で所望の位置で支柱または杭を保持し、別の建築者がブレースおよび木材のラインの安定化枠組みを組み立てることによって支柱の位置を固定する。
【０００５】
図１は、支柱１のラインを示し、支柱１は、コンクリート注入を受け入れるように掘られたフーチング孔２にそれぞれ存在している。枠組みは、それぞれの支柱を支持するように示され、複数の側方支持ブレース３および横断支持ブレース５を含み、それは、それぞれの支柱の上端を支持するように互いに互いに９０度で配置される。木材片３は、さらなる支持のために、掛け渡すように、それぞれの支柱の下側に結合するように、配置される。木材片３は、複数のペグ７によって地面にしっかりと固定することができる。側方ブレース４は、安定性のために、それぞれの木材片３の下端に結合する。複数のペグ６は、安定性のために、地面にそれぞれの横断ブレース５の下端に結合する。
【０００６】
枠組みは、それぞれの支柱を浮かせてそれぞれの支柱を適切な位置に安定させる第１建築者によって互いに固定され、別の建築者は、くぎまたはねじで枠組みを互いに固定する。重いまたは高い支柱は、倒れることを防ぐようにさらなる安定化枠組みを必要とすることが多い。
【０００７】
フーチング孔は、支柱を安定させる十分な枠組みが組み立てられるときに、コンクリートで充填される。第２建築者は、その後、支柱または杭を適切な位置に保つその仕事から解放される。枠組みは、コンクリートが硬化するときに、取り除かれる。
【０００８】
フーチング孔の上で支柱または杭を浮かせる他の現代の実行は、ある建築者がフーチング孔の底の１００ｍｍ上で所望の位置で支柱または杭を保ち、他の建築者がコンクリートをフーチング孔に注入することを、含む。
【０００９】
その後、建築者は、フーチング孔の底の１００ｍｍ上で浮かせた支柱または杭を保つようにする間に、建築者を解放するようにコンクリートが十分に硬化する間に、支柱または杭が正確な位置にあることを調べる。
【発明の概要】
【発明が解決しようとする課題】
【００１０】
コンクリート打ちの前にそれぞれの支柱または杭を浮かせてそれぞれの支柱または杭を適切な位置で支えるように枠組みを作り上げる過程は、厄介である。それ故に、本発明の目的は、上記の不都合な点を克服するまたは少なくとも改善する、または少なくとも公衆に有益な選択肢を提供する、改良された過程を容易にすることである。
【課題を解決するための手段】
【００１１】
この明細書では、特許明細書および他の文書を含む、外部情報源が参照される場合には、これは、概して本発明の特徴を論じる文脈を提供する目的である。特に明記しない限り、そのような情報源の参照は、あらゆる法域で、そのような情報源が従来技術であるまたは当該技術分野における技術常識の一部を形成すると認めることとして解釈されるべきでない。
【００１２】
一態様では、本発明は、１つ以上の支持壁で離された下段および上段を備える支柱または杭の底部を支持するように適合された装置におおむね存し、下段は、地面接触プラットフォームを提供するように適合され、上段は、支柱または杭接触プラットフォームを提供するように適合され、１つ以上の支持壁は、少なくとも下段と上段との間にわたる。
【００１３】
別の態様では、本発明は、支持装置を形成するように組み立てられることができる部品のキットにおおむね存し、キットは、下段と、上段と、１つ以上の支持壁と、を備え、下段は、地面接触プラットフォームを提供するように適合され、上段は、支柱または杭接触プラットフォームを提供するように適合され、１つ以上の支持壁は、結合するように少なくとも下段と上段との間にわたるように適合される。
【００１４】
別の態様では、本発明は、支柱または杭の底部を支持するように適合された装置を使用する方法におおむね存し、装置は、１つ以上の支持壁で離された下段と上段とを備え、下段は、地面接触プラットフォームを提供するように適合され、上段は、支柱または接触杭プラットフォームを提供するように適合され、１つ以上の支持壁は、少なくとも下段と上段との間にわたり、１つ以上の支持壁は、上段を超えて広がって包囲領域を定め、その方法は、任意の順序で、以下のステップの１つ以上を含む：
・支柱または杭のライン用のストリングラインを配置し、ラインに沿った杭または支柱の特定の位置を測定し、フーチング孔を掘る、
・杭を包囲領域に挿入して、留め具で杭と支持台とを接続することによって、支持台を杭の底に結合する、
・フーチング孔を掘る、
・支柱または杭を、結合した支持装置と共に、フーチング孔に入れる、
・支柱または杭を所望の位置に置くように支柱支持装置をフーチング孔の中で周りで動かすまたは滑らせる、
・１つ以上のブレース材をそれぞれの支柱または杭の上部に結合する、および／または
・コンクリートをフーチング孔に注入する。
【００１５】
別の態様では、家および／またはデッキ下張り床を用意およびコンクリートで固めるように支柱または杭の底部を支持するように適合された装置を使用する方法におおむね存し、装置は、１つ以上の支持壁で離された下段と上段とを備え、下段は、地面接触プラットフォームを提供するように適合され、上段は、支柱または接触杭プラットフォームを提供するように適合され、１つ以上の支持壁は、少なくとも下段と上段との間にわたり、１つ以上の支持壁は、上段を超えて広がって包囲領域を定め、その方法は、任意の順序で、以下のステップの１つ以上を、含む：
・杭、支える物および床／デッキ根太を含む、家および／またはデッキ下張り床を作り上げる材料を提供する、
・それぞれの杭に支持台を提供する、
・家のそれぞれのコーナーのメートル外側について水平形状板でコーナー形状を作成する、
・ストリングラインで建物外周をマークアウトする、
・杭のラインにマークを付けるように中間ストリングラインを配置する、
・それぞれのストリングラインに沿って個々の杭をマークアウトする、
・フーチング孔を掘る、
・杭を包囲領域に挿入して、留め具で杭と支持台とを接続することによって、支持台を杭の底に結合する、
・支持台が結合した杭を、フーチング孔に置く、および／または
・杭をコンクリートで所定の位置に固める。
【００１６】
好ましくは、１つ以上の支持壁は、上段を超えて広がって、支持壁の内面と上段の上面との間に包囲領域を定める。
【００１７】
好ましくは、包囲領域は、上段に存在している支柱または杭の底を実質的に包囲するように適合される。
【００１８】
好ましくは、包囲領域は、支持壁の内面と上段の上面との間に形成される。
【００１９】
好ましくは、上段を超えて広がる１つ以上の支持壁は、留め具が通過できるように構成された１つ以上の孔を有する。
【００２０】
好ましくは、上段は、支持される支柱または杭の形状と厳密に一致するように適合された形状を有する。
【００２１】
好ましくは、上段は、四角形状を有する。
【００２２】
好ましくは、下段は、丸い形状を有する。
【００２３】
好ましくは、下段は、波形である地面接触面を有する。
【００２４】
好ましくは、下段は、高くなった外周縁を有する。
【００２５】
好ましくは、下段は、高くなった内周縁を含む開口部を有する。
【００２６】
好ましくは、下段は、約２３５ｍｍの外側スパンを有する。
【００２７】
好ましくは、上段と下段とは、約１００ｍｍの距離で離れている。
【００２８】
好ましくは、装置は、インサートを備え、インサートは、包囲領域に合うように適合された外面と、支持される支柱または杭に合うように適合された内面と、を有する。
【００２９】
好ましくは、１つ以上の側壁は、１つ以上の開口部を有する。
【００３０】
好ましくは、上段および／または下段は、１つ以上の開口部を有する。
【００３１】
好ましくは、１つ以上の支持壁は、少なくとも一部分において、格子構造を形成するように重なり合う。
【００３２】
好ましくは、１つ以上の支持壁は、平壁の配置を備える。
【００３３】
好ましくは、１つ以上の支持壁は、ほぼ連続した円錐壁を備える。
【００３４】
好ましくは、下段は、断面で波形である地面接触面を有する。
【００３５】
好ましくは、下段は、高くなった外周縁を有する。
【００３６】
好ましくは、下段は、高くなった内周縁を含む開口部を有する。
【００３７】
好ましくは、下段は、約２３５ｍｍの外側スパンを有する。
【００３８】
好ましくは、上段と下段とは、約１００ｍｍの距離で離れている。
【００３９】
好ましくは、装置は、インサートをさらに備え、インサートは、包囲領域に合うように適合された外面と、支持される支柱または杭に合うように適合された内面と、を有する。
【００４０】
好ましくは、孔は、コンクリート充填フーチング孔である。
【００４１】
以下の実施形態は、上記態様のいずれかに関し得る。本発明の他の態様は、ほんの一例として与えられる以下の説明から明らかになることができ、添付図面が参照される。
【００４２】
ここで使用される用語「および／または」は、「および」または「または」、または両方を、意味する。
【００４３】
ここで使用される名詞の後の「（ｓ）」は、名詞の複数および／または単数形を意味する。
【００４４】
この明細書で使用される用語「備えている」は、「少なくとも一部分において構成される」を意味する。その用語を含むこの明細書の文を解釈するとき、それぞれの文または請求項のその用語によって始められる特徴は、全て存在している必要があるが、他の特徴も存在できる。「備える」および「備えられている」などの関連する用語は、同じように解釈されるべきである。
【００４５】
この発明は、本出願の明細書で言及されたまたは示された、部分、要素および特徴におおむね存すると言うこともでき、個々にまたは集合的に、および前記の部分、要素または特徴のいずれか２つ以上のいずれかまたは全ての組み合わせであり、この発明に関係している当技術分野の公知の等価物を有する、特定の整数が本書で言及される場合には、そのような公知の等価物は、個々に示されているかのように本書に援用されると見なされる。
【００４６】
本発明に関する当業者には、構造の多くの変更および本発明の大いに異なる実施形態および用途が、添付の請求項に定められた本発明の範囲から逸脱することなく、それら自体を示唆する。本書の説明および開示は、単に一例であり、いかなる意味においても限定するものではない。
【００４７】
本発明は、ほんの一例として、図を参照して、これから記述される。
【図面の簡単な説明】
【００４８】
【図１】支柱／杭のラインを示し、支柱／杭は、支持ブレースによって安定化され、コンクリートを受け入れるように掘られたフーチング孔にそれぞれ存在している支柱／杭と孔とに及んでいる木材に固定されることによって浮かせられている。
【図２】単一の支柱／杭の２つの例を示し、支柱／杭は、支持ブレースによって安定化され、コンクリートを受け入れるように掘られたフーチング孔にそれぞれ存在している支柱／杭と孔とに及んでいる木材に固定されることによって浮かせられている。
【図３】四角形状上段を含む本発明の実施形態による支持台を示す。
【図４】図３の実施形態の支持台の底面の平面図を示す。
【図５】図３の実施形態の四角形状上段を有する支持台の上面の平面図を示す。
【図６】図３の実施形態の側面形状である。
【図７】さらなる実施形態の上面斜視図を示す。
【図８】図７の実施形態の下面斜視図を示す。
【図９】図７の実施形態の下面図を示す。
【図１０】図７の実施形態の側面図を示す。
【図１１】図７の実施形態の上面図を示す。
【発明を実施するための形態】
【００４９】
本発明は、コンクリート充填フーチング孔に支柱および杭を配置するプロセスを改善する支持台である。支持台によって、第１建設者が、第２建築者からの支援を必要とすることなく、支柱または杭をきちんと固定することができる。さらに、本発明は、支柱または杭の下のコンクリートの最小所要深さを容易にし、それは、そうでなければ、例えばコンクリート注入のために掘られたフーチング孔に、重い支柱または杭を置くときに、困難である。
【００５０】
図３‐６は、本発明の様々な実施形態による支持台９を示す。特に、図３は、一実施形態の斜視図を示し、図６は、図３の実施形態の側面図を示す。支持台は、支持プラットフォームを提供するように支柱または杭の底に結合するように構成される。支柱または杭の底に結合するとき、支持台は、支柱または杭をフーチング孔の底部の上の高さに保つ。さらに、ある状況下においては、支持台によって、支柱または杭が独立して立つことができる。他の状況下においては、支持台に結合した支柱または杭は、１つ以上のブレースによってさらに支持され、１つ以上のブレースは、１人の人が、第２の人を必要とすることなく、組み立てることができる。
【００５１】
支持台９は、下段１０と、上段１１と、１つ以上の支持壁１２と、を有する。例えば、示されている実施形態では、４つの支持壁がある。しかしながら、他の実施形態では、２つ、３つ以上の支持壁が、下段の上で上段を安定させるのに使用される。上段１１は、支柱または杭が載ることができるプラットフォームを提供するように適合される。下段は、地面静止プラットフォームを提供するように適合される。支持壁１２は、少なくとも下段と上段との間にわたり、それらの段の間の分離距離を維持するように、適合される。分離距離は、支柱または杭が、フーチング孔の底部の上で浮かせられることが望まれる、所定の消耗の高さと合致する。例えば、ニュージーランド建築基準での遵守が望まれるときに、所定の高さは１００ｍｍである。
【００５２】
ある実施形態では、上段と下段との間に広がる単一の支持壁がある。他の実施形態では、支持壁は、下段の上面から上段の周辺に上へ広がるほぼ平らな表面として配置される。ある実施形態では、支持壁は、図３に示されているように、格子構造１９が形成されるように、重なり合う。支持壁によって形成される格子型構造は、圧縮強さおよび側方運動に対する抵抗を提供することによって、上段の安定性および載荷能力を高める。
【００５３】
ある実施形態では、支持壁１２は、上段１１を超えて広がって取り囲み、少なくとも上側に開いた包囲領域１４を形成する。支持壁と上段とは、支柱または杭が、定められた包囲領域内に受容可能であるように、配置される。
【００５４】
ある実施形態では、支柱または杭は、締まりばめで包囲領域内に受け入れられる。他の実施形態では、包囲領域１４はフラップ２０を備え、フラップ２０は、上段を取り囲むように配置され、上段に載っている支柱または杭に固定される。他の実施形態では、支持壁またはフラップ２０の上部は、１つ以上の孔１３を備え、１つ以上の孔１３は、留め具が支持壁またはフラップを通過できるようにし、それによって支柱を支持台に固定するように、適合される。孔１３は、上段１１の位置の上で支持壁またはフラップ２０の１つ以上にある。
【００５５】
ある実施形態では、包囲領域１４は、図４および図５に示されているように、形状が四角である。他の実施形態では、包囲領域は、円形である。
【００５６】
ある実施形態では、包囲領域１４は、二次支持壁１２から形成され、二次支持壁１２は、支持壁１２内に存在する。ある実施形態では、二次支持壁１５は、支持台９がより小さい支柱に適するように、取り外し可能である。二次支持壁は、包囲領域の形状に合うまたは少なくとも従うように適合された外面と、支持されるべきである杭の支柱の形状に従う内面と、を有する。他の実施形態では、包囲領域１４は、受け入れられる支柱または杭の特定の支柱形状に従うように形作られる。
【００５７】
下段１０は、プラットフォームを提供するように適合され、そのプラットフォームの上に、支持装置が、フーチング孔２にあるときに、存在する。ある実施形態では、下段１０は、波形の地面接触下面を有する。ある実施形態では、下面は、波形形状であり、それは、支持台９が、沈められるときに容易に地面を滑ることができるようにする。ある実施形態では、下段の外周縁１６は、地面を滑るように支持装置の能力を高めるように高くなっている。ある実施形態では、下段１０は、形状が丸く、例えばＣ形部分を備える。
【００５８】
ある実施形態では、上および／または段は、その表面に開口部１７を有する。ある実施形態では、任意の下段開口部の内周縁１５は、地面を滑るように支持装置の能力をさらに高めるように高くなっている。ある実施形態では、側壁も開口部１８を有する。開口部は、フーチング孔に注入されるコンクリートが、コンクリートで固められる支柱または杭および支持台９をおよびその周りを容易に流れることができるようにする。
【００５９】
支持台９は、プラスチック材料で好ましく構成される。プラスチックは、理想的には、無可塑ポリスチレンまたは他の同様な材料などの剛体材料である。再生または生分解性プラスチック形態も使用されてよい。プラスチック支持台は、好ましくは射出成形法または回転成形加工から形成される。
【００６０】
高さ約１．５ｍまでの支柱または杭について、建築者は、支柱または杭を所望の位置で水平に垂直に保ち、支柱または杭を、ストリングラインまたは他の位置マーカーに対して所望の位置に支持台９上で周りで滑らせることができる。保持されている間に、コンクリートは、フーチング孔に注入される。
【００６１】
高さ１．５ｍぐらいの支柱または杭について、建築者は、より一層の安定性のために、１つ以上のブレースを杭の上部に固定できる。建築者は、その後、所望の位置にフーチング孔の中で周りで滑らせて、支柱または杭を垂直に並べることができる。必要ならば、ブレースの下端部は、ペグを地面に打ち込むことによって、およびブレースをペグに取り付けることによって、適所に固定できる。
【００６２】
フーチング孔は、少なくとも２５０ｍｍ四方または直径３００ｍｍの円形である。ある実施形態では、支持台１０の下段は、スパンが約２３５ｍｍである。
【００６３】
支柱支持装置の一般的使用は、任意の順序で、以下のステップの１つ以上に従う。
・建築者は、支柱または杭のライン用のストリングラインを配置し、ラインに沿った杭または支柱の特定の位置を測定し、フーチング孔を掘る。
・最大で４つの留め具で支持装置を支柱または杭の底に結合する。支持装置が、四角形状を有する支柱または杭を支持する場合には、留め具は、４つの面のそれぞれに結合する。
・支柱または杭を、結合した支持装置と共に、フーチング孔に入れる。支持装置は、支柱または杭をフーチング孔の底部の上で所定の量浮かせる。
・支柱または杭を所望の位置に置くように支柱支持装置をフーチング孔の中で周りで動かすまたは滑らせる。例えば、所望の位置は、支柱または杭がストリングラインと良く整列する位置である。
・１つ以上のブレース材をそれぞれの支柱または杭の上部に。１つ以上のブレース材が結合する場合には、それぞれのブレースは、支柱または杭にそれらの間で９０度で理想的に結合する。
・コンクリートが、フーチング孔に注入され、硬化することができる。
【００６４】
杭を典型的な家下張り床に配置するための支柱支持装置の使用は、任意の順序で、以下のステップの１つ以上に従う。
・杭、支える物および床根太を含む、家下張り床を作り上げる材料を要求する。
・それぞれの杭に支持台を要求する。
・家のそれぞれのコーナーのメートル外側について水平形状板でコーナー形状を作成する。
・ストリングラインで建物外周をマークアウトする。ストリングラインは、水平形状板に配置されたくぎに結合する。
・杭のラインにマークを付けるように中間ストリングラインを配置する。
・それぞれのストリングラインに沿って個々の杭をマークアウトする。
・フーチング孔を掘る。
・留め具を使用してそれぞれの杭の底に支持台を結合する。例えば、留め具は、支持台を通って杭に打ち込まれる４つの３０ｍｍクラウトである。孔を通る１つずつが、支持台の包囲領域または４つの固定フラップにある。
・支持台が結合した杭を、フーチング孔に入れる。
・所定の位置に杭をコンクリートで固める。
【００６５】
支持台９は、従って、第２建設者からの支援を必要とすることなく、１人の建設者によってコンクリートで固めるようにフーチング孔に支柱または杭を配置することができるようにする。これは、支柱または杭を配置するのに必要とされる時間の改善を提供し、通常そうするのに必要とされる労働力を減らす。さらに、支持台９は、コンクリート打ちの前に支柱または杭を適切な位置に安定させるために通常必要とされる外部支持構造のいくつかまたは全ての必要性をなくすことができる。
【００６６】
図７は、プラスチック射出成形などの製造工程に役立ち得る追加の特徴を備えている本発明のさらなる実施形態の上面斜視図である。図８は、図７の実施形態の下面斜視図を示す。図９は、図７の実施形態の下面図を示す。図１０は、図７の実施形態の側面図を示す図１１は、図７の実施形態の上面図を示す。
【００６７】
特に、図７‐１１は、丸みまたは湾曲を備えている側壁の接合を示す。さらに、上支持段と側壁の接合は、１つ以上のガセットを備え、ガセットは、プラットフォームの剛性を高める働きをする。ある実施形態では、ガセットは、構造に側方安定性を提供するように側壁の１つ以上と下段の底との間にわたる。他の実施形態では、ガセットは、下段と側壁との間にわたるように提供される。当業者は、構造に側方支持を提供するガセットの適用が、材料厚さが薄いおよび／または構造が重い支柱または杭を支持するよう意図されている実施形態で必要とされることを、理解する。同様に当然のことながら、上段と下段との間の領域への開口は、注入コンクリートが、その領域におよび構造によって支持される支柱または杭の底の下に、流れることができるように、実質的に妨げられていない必要がある。
【００６８】
前述の説明で公知の等価物を有する整数または要素が参照される場合には、そのような等価物は、個々に示されているかのように含まれる。本発明は、例として特定の実施形態に関して説明されたが、請求項に示された本発明の範囲から逸脱することなく、変更および／または改良がなされてよいことが、理解されるべきである。
【図１】
0006556150.tif 000002
【図２（ａ）】
0006556150.tif 000003
【図２（ｂ）】
0006556150.tif 000004
【図３】
0006556150.tif 000005
【図４】
0006556150.tif 000006
【図５】
0006556150.tif 000007
【図６】
0006556150.tif 000008
【図７】
0006556150.tif 000009
【図８】
0006556150.tif 000010
【図９】
0006556150.tif 000011
【図１０】
0006556150.tif 000012
【図１１】
0006556150.tif 000013